(57)【要約】本発明はエアジェットルームのメインノズル（１）の混合管（４）の中でよこ糸（５）を伸長させるための方法及びこの方法の実施のためのエアジェットルームに関する。発明の根底にあるのは、メインノズル（１）のほぼ全長にわたって作用し、メインノズル（１）内の休止段階でよこ糸（５）の構造に不利な影響を及ぼす空気流を廃止し、なおかつメインノズル（１）の中でよこ糸（５）を伸長させるという技術的課題である。これは、よこ糸（５）の休止段階で空気流がメインノズルの混合管内のよこ糸前端（５ａ）にだけ作用することによって行われる。
2005528535.tif 000002
【特許請求の範囲】
【請求項１】
メインノズルの混合管内でとりわけ予備巻取装置から送り出されたよこ糸の区間に所定の期間のあいだ所定の圧力レベルの空気流を作用させてよこ糸に引張力を働かせることによって、エアジェットルームのメインノズルの混合管内でよこ糸を伸長させる方法において、
空気流が混合管（４）の縦軸（４ａ）に対してある角度でこの区間の末端区域（５ａ）に所定の期間のあいだ作用することを特徴とする方法。
【請求項２】
所定の期間が少なくとも１製織サイクルの持続時間に相当することを特徴とする請求項１に記載の方法。
【請求項３】
空気流が混合管（４）の縦軸（４ａ）に対して鋭角で放出されることを特徴とする請求項１に記載の方法。
【請求項４】
空気流が混合管（４）の縦軸（４ａ）に対して直角に放出されることを特徴とする請求項１に記載の方法。
【請求項５】
空気流が混合管（４）の縦軸（４ａ）に対して鈍角で放出されることを特徴とする請求項１に記載の方法。
【請求項６】
空気流が作用する区間の末端区域（５ａ）を、織地によこ糸（５）を織込んだ後に切り取ることを特徴とする請求項１に記載の方法。
【請求項７】
混合管（４）を有する少なくとも１個の圧縮空気式よこ入れ手段と、とりわけ予備巻取装置が送り出したよこ糸（５）の少なくとも混合管（４）内で伸長させられる区間に所定の圧力レベルの空気流を作用させるために、圧力管を介してよこ入れ手段と連動する少なくとも１個の制御可能な弁と、少なくとも１個の空気圧源と、少なくとも１個の制御可能な弁の制御のためのプログラム記憶式織機制御装置（１１）とを具備する請求項１の方法の実施のためのエアジェットルームにおいて、
混合管（４）がその自由端の区域に、よこ糸（５）の前端（５ａ）を空気流により混合管（４）の縦中心軸（４ａ）の平面から偏らせる装置を有することを特徴とするエアジェットルーム。
【請求項８】
上記の装置が、混合管（４）の隔壁（４ｂ）を貫通し、出口（６ａ）を有する進入路（６）と、進入路（６）の出口（６ａ）の正反対の側に対設された退出路（７）の入口（７ａ）とを具備することを特徴とする請求項７に記載のエアジェットルーム。
【請求項９】
上記の装置が、出口（１６ａ’）を備えた進入路（１６ａ）及び進入路（１６ａ）の出口（１６ａ’）の正反対の側に対設された退出路（１６ｂ）の入口（１６ｂ’）を有し、混合管（４）の自由端に結合される接続片（１６）からなることを特徴とする請求項７に記載のエアジェットルーム。
【請求項１０】
進入路（６）及び退出路（７）の縦中心軸（１７）がとりわけ混合管通路（４）の縦中心軸（４ａ）を横切って整列されていることを特徴とする請求項８又は９のいずれか１つに記載のエアジェットルーム。
【発明の詳細な説明】
【技術分野】
【０００１】
本発明は、メインノズルの混合管内でとりわけ予備巻取装置から送り出されたよこ糸の区間に所定の期間のあいだ所定の圧力レベルの空気流を作用させてよこ糸に引張力を働かせることによって、エアジェットルームのメインノズルの混合管内でよこ糸を伸長させる方法に関する。
【０００２】
また本発明は、混合管を有する少なくとも１個の圧縮空気式よこ入れ手段と、とりわけ予備巻取装置が送り出したよこ糸の少なくとも混合管の中で伸長させられる区間に所定の圧力レベルの空気流を作用させるために、圧力管を介してよこ入れ手段と連動する少なくとも１個の制御可能な弁と、少なくとも１個の空気圧源と、少なくとも１個の制御可能な弁の制御のためのプログラム記憶式織機制御装置とを有する上記方法の実施のためのエアジェットルームに関する。
【背景技術】
【０００３】
周知のように、エアジェットルームではひ口に挿入される所定の長さのよこ糸が、いわゆる糸貯蔵装置又は予備巻取装置から空気圧式よこ入れ手段（以下メインノズルと称する）に供給される。
【０００４】
ひ口に挿入されるよこ糸の区間はメインノズルの混合管の中にあり、一方、よこ糸の別の区間がメインノズルと糸貯蔵装置の間及び糸貯蔵装置自体にあって、適当な手段により少なくとも１織成サイクルのあいだ糸貯蔵装置に保持される。
【０００５】
メインノズルの混合管内にあるよこ糸区間は、混合管の縦中心軸の方向に作用する空気流によって伸長させられる。織物の製織に複数個のメインノズルが使用される場合は、よこ糸を伸長させる時間が通常、複数の製織サイクルを含む分だけ延長される。
【発明の開示】
【発明が解決しようとする課題】
【０００６】
よこ糸の構造によっては、長い期間にわたるよこ糸の伸長は損傷を招くことがある。損傷は特によこ切れとなって現れ、糸構造の変化として明瞭になり、結局エアジェットルームの使用範囲を制限する決定を下すことになる。
【０００７】
上記の欠点を回避するのが発明の課題である。
【課題を解決するための手段】
【０００８】
本発明に基づきこの課題は次のようにして解決される。即ちメインノズルの混合管内に保持されたよこ糸区間の末端区域に対して所定の圧力レベルＰ２の空気流を、混合管の縦中心軸に対して０度より大きな角で所定の期間のあいだ放出するのである。
【０００９】
その場合よこ糸末端区域への所定の作用の期間は少なくとも１製織サイクルの持続時間に相当する。
【００１０】
換言すれば、織物の製織のために柄に従って複数個のメインノズルが使用されるならば、よこ糸末端区域への作用の持続時間は１製織サイクルより大きいのである。
【００１１】
そこで本発明の核心をなすのは、よこ糸末端区域に作用する空気流が混合管の縦中心軸に対してある角度で放出されることである。それによってよこ糸の前端は混合管の縦中心軸の平面から偏らされる。よこ糸末端区域に作用する空気流はこうしてよこ糸を糸貯蔵装置から混合管内の方向転換点に至るまで伸長させる。従って混合管内の方向転換点まで、よこ糸の構造はいわゆる保持空気流によって損なわれない。その場合偏らされるよこ糸末端区域の長さは、よこ糸がひ口に挿入され、たて糸によって組織された後に切り取ることができるように設定されている。従って保持空気流によってよこ糸末端区域の構造が変化したとしても、それは製織された織物の構成部分ではない。
【００１２】
上記方法の特徴を実施するために、本発明に基づきメインノズルの混合管は自由端の区域に、よこ糸の前端を空気流により混合管の縦中心軸から偏らせる装置を有する。そのために混合管の隔壁を例えば混合管の縦中心軸に対して直角に貫通する進入路と出口及び進入路の出口の正反対の側に対設された退出路の入口が設けられている。進入路は圧力管を介して、織機制御装置により制御される弁と連結されている。
【００１３】
代案として上記の装置は混合管の自由端と結合された別個の接続片からなり、又は混合管に取り付けられた別個の中間片からなることができる。この場合も接続片又は中間片は出口を有する進入路及び進入路の出口の正反対の側に対設された退出路の入口を有する。
【００１４】
装置の好ましい構成では、進入路と退出路の中心軸は混合管の縦中心軸を横切るように配置されている。
【発明の効果】
【００１５】
本発明に基づく解決策によって得られる利点はおおむね次の通りである。即ち保持空気流によって発生する構造的変化がよこ糸末端区域に局限され、このような末端区域は製織された織物に含まれないのである。
【発明を実施するための最良の形態】
【００１６】
次に実施例に基づき発明を説明する。添付の図面の図１はエアジェットルームのメインノズル１の縦断面の斜視図を示す。メインノズル１は混合管本体２にねじ込むことができるインゼクタ３及び混合管本体２と結合された混合管４を具備する。
【００１７】
本発明に基づきよこ糸５の前端５ａを空気流により例えば混合管４の縦中心軸４ａの平面から、垂直に延びる上記装置の縦中心軸１７の方向に偏らせる装置が混合管４の自由端の区域に設けられている。圧力管８を記号で表した方向矢印は空気流の流れ方向を示す。具体的には、装置は混合管４の隔壁４ｂをとりわけ横切って貫通する進入路６と、進入路６の出口６ａの正反対の側に対設された退出路７の出口７ａからなる。
【００１８】
圧力源１０から送り出された空気流の圧力Ｐ２が弁９に働く。弁９は例えば電磁制御弁である。弁９は信号伝送のために制御線１２を介して織機の電子制御装置１１に接続されている。圧力管１５を経てよこ糸５にパルス状に作用する空気流の圧力Ｐ１が、同じく信号伝送のために制御線１４を介して織機の電子制御装置１１に接続された別の弁１３に働く。この空気流は方向矢印の記号で示した。この空気流はよこ糸をひ口に挿入するためのものである。本発明に基づく解決策の理解のために付言すれば、圧力レベルＰ１の空気流によってよこ糸５がひ口に挿入された後、電子制御装置１１及び弁１３によって管路１５の空気流が遮断され、次に弁９を経て別の空気流がよこ糸の伸長のための装置６、７に送られる。この過程は織物の製織時に絶えず繰返される。
【図面の簡単な説明】
【００１９】
【図１】エアジェットルームのメインノズルの縦断面の斜視図を示す。
【符号の説明】
【００２０】
１  メインノズル
２  混合管本体
３  インゼクタ
４  混合管
４ａ  縦中心軸
４ｂ  隔壁
５  よこ糸
５ａ  前端
６  進入路
６ａ  出口
７  退出路
７ａ  入口
８  圧力管
９  弁
１０  圧力源
１１  電子制御装置
１２  制御線
１３  弁
１４  制御線
１５  圧力管
１６  接続片
１６ａ  進入路
１６ａ  出口
１６ｂ  退出路
１６ｂ  入口
１７  縦中心軸
2005528535.tif 000003
【国際調査報告】
2005528535.tif 000004
2005528535.tif 000005
2005528535.tif 000006
2005528535.tif 000007
2005528535.tif 000008
2005528535.tif 000009